(57)【要約】【課題】  乳幼児のよだれかけに入れ込み用の補助布を縫い付けて、よだれかけを装着時に、その入れ込み用補助布を、乳幼児の衣服と首もとの間に入れ込むことにより、衣服が濡れたり、よだれかけがずれることを防ぎ、なおかつ、よだれかけの着脱も、よだれかけを着けたままの衣服の脱ぎ着も手早く出来る、安全な乳幼児のよだれかけを提供する。【解決手段】  よだれかけ本体１と、よだれかけ本体１よりつながっている、首に装着用の留め具４の付いた一対の首紐３があるよだれかけについて、よだれかけ本体１の首開口部５の中央に、よだれかけ本体１よりも面積の小さい入れ込み用の補助布２を縫い付けてあり、入れ込み用補助布２のよだれかけ本体１に対する縫いつけ部分は、一対の首紐３の途中部分まで伸びていることを特徴とするよだれかけである。【選択図】図１
2005068619.tif 000002
【特許請求の範囲】
【請求項１】
上縁に首開口部を有するよだれかけ本体と，該よだれかけ本体につながる一対の首紐とを備え、首紐には装着用の留め具が設けられた乳幼児用よだれかけであって、
前記よだれかけ本体の表側で首開口部に沿った上縁に、該よだれかけ本体よりも面積の小さい入れ込み用補助布が一体に縫い付けられており、該入れ込み用補助布の縫い付け部分は、前記一対の首紐の留め具近傍まで伸びていることを特徴とするよだれかけ。
【請求項２】
上縁に首開口部を有するよだれかけ本体と，該よだれかけ本体につながる一対の首紐とを備え、首紐には装着用の留め具が設けられた乳幼児用よだれかけであって、
前記よだれかけ本体の表側で首開口部に沿った上縁に、該よだれかけ本体よりも面積の小さい入れ込み用補助布が一体に縫い付けられており、
前記よだれかけを乳幼児へ装着した状態において、折り返された入れ込み用補助布が、乳幼児の首のほぼ全周もしくはそれに近い長さを覆う長さであることを特徴とするよだれかけ。
【請求項３】
請求項１または２において、前記入れ込み用補助布は、前記首開口部の底部から前記首紐の端までの２分の１ないし４分の３の位置付近まで一体に前記よだれかけ本体に縫い付けられていることを特徴とするよだれかけ。
【発明の詳細な説明】
【技術分野】
【０００１】  本発明は、乳幼児用のよだれかけに、入れ込み用の補助布を縫い付けて、よだれかけを装着時に、その入れ込み用補助布を乳幼児の衣服と首もとの間に入れ込むことにより、衣服が濡れたり、よだれかけがずれることを防ぎ、なおかつよだれかけの着脱も手早く出来、よだれかけを着けたままの衣服の脱ぎ着も出来る、入れ込み用補助布付きよだれかけに関するものである。
【背景技術】
【０００２】  従来の乳幼児のよだれかけは、特許文献１に記載のような首紐にある留め具だけで装着するもの、首紐にある留め具とよだれかけ本体に付いている胴紐を背中にまわして装着するもの、特許文献２に記載のようなよだれかけ本体に両腕を通して首紐にある留め具で装着するものが主である。他に、よだれかけ本体よりつながっている布を首もとに折り込むだけで装着する新生児向けの授乳用の物や、特許文献３に記載のような衿カバーなどがある。
【特許文献１】  特開２０００−７３２０４号公報
【特許文献２】  特開２００３−１４７６０４号公報
【特許文献３】  特開平７−２４３１０９号公報
【発明の開示】
【発明が解決しようとする課題】
【０００３】  これら従来の乳幼児用よだれかけは、次のような問題点があった。まず、特許文献１に記載されたような従来の一般的な乳幼児用のよだれかけは、乳幼児の首に装着するため、首紐にある留め具をきつく留められないので、乳幼児の首にぶら下がった状態である。そのため、よだれかけ本体の首開口部と首の間に隙間が出来てしまい、この隙間から、よだれやこぼれたミルクが流れ込み衣服を濡らしてしまうのである。
さらに、寝返りをしたり、寝転んで遊んでいる時など特に、よだれかけが、ぐるぐると回ってしまい、通常、後ろにあるべき留め具の部分が横にきたり、前にきたりして、ほとんどよだれかけとしての機能を果たさなくなってしまうのである。乳幼児の衣服を濡らしてしまうと外出先や、真冬ともなると着替えさせるのは、とても大変なことである。
また、特許文献２に記載の例のような、ずれ防止の機能が付いているもので、首紐にある留め具とよだれかけ本体についている胴紐を背中にまわして装着するもの、よだれかけ本体に両腕を通して、首紐にある留め具で装着するもは、いずれも確かに、ずれの防止にはなるが、衣服を濡らすという点の問題点は解決されていないのである。
そして、この場合さらに、乳幼児の体温調節のため衣服を脱ぎ着する際に、よだれかけもいちいち外さないといけなかったり、よだれかけだけを着脱する際にも後ろの留め具だけのよだれかけよりも手間がかかるという新たな問題点がある。
乳幼児の場合、手早く着脱が出来ることは、とても重要である。出来るまで待っていてはくれないからである。だから、オムツでも靴でも手早く着脱が出来る商品が開発され人気がある。
さらに、特許文献３に記載の例のように、よだれかけ本体よりつながる布を首もとに折り込むだけの授乳用の物や衿カバーなどは、首の前の部分しかカバーせず、乳幼児が横になってミルクなどを飲んだ場合に、こぼれたミルクが首の横側や、首の後ろの方へと流れた物はカバー出来ない。しかも衣服の内側に隙間ができやすいので、その場合、よだれが衣服の内側の隙間から乳幼児の衣服（肌着）の内側に流れ込むことも阻止できない（図１０参照）。
さらに、首紐と、留め具が無いので、すぐに取れてしまうという問題点がある。
本発明の目的は、乳幼児が寝返りをしても寝転んで遊んでいても、ずれたりせず、また、乳幼児が軽く引っ張たりしたぐらいでは取れず、常に最良の位置に装着しておくことが出来る乳幼児用のよだれかけを提供することにある。
本発明の他の目的は、衣服が濡れることが無く、よだれかけを着けたままの衣服の脱ぎ着も楽に出来、かつ、安全な乳幼児用のよだれかけを提供することにある。
【課題を解決するための手段】
【０００４】  本発明の特徴は、上縁に首開口部を有するよだれかけ本体と，該よだれかけ本体につながる一対の首紐とを備え、首紐には装着用の留め具が設けられた乳幼児用よだれかけであって、前記よだれかけ本体の表側で首開口部に沿った上縁に、該よだれかけ本体よりも面積の小さい入れ込み用補助布が一体に縫い付けられており、該入れ込み用補助布の縫い付け部分は、前記一対の首紐の留め具近傍まで伸びていることにある。
本発明の他の特徴は、上縁に首開口部を有するよだれかけ本体と，該よだれかけ本体につながる一対の首紐とを備え、首紐には装着用の留め具が設けられた乳幼児用よだれかけであって、前記よだれかけ本体の首開口部に沿った上縁に、該よだれかけ本体よりも面積の小さい入れ込み用補助布が一体に縫い付けられており、前記入れ込み用補助布は、前記よだれかけを乳幼児への装着した状態において、折り返された入れ込み用補助布が、乳幼児の首のほぼ全周もしくはそれに近い長さを覆う長さとなっている。
【発明の効果】
【０００５】  本発明によれば、乳幼児の衣服を、よだれかけ本体と入れ込み用補助布で、ほぼぐるりと一周挟み込む状態になるので、寝返りをしても、寝転んで遊んでいても、ずれたりせず、首に装着用の首紐と留め具も備えであるので、乳幼児が引っ張たりしたぐらいでは取れず、常によだれかけとして最良の位置に装着しておくことが出来るのである。
また、よだれやミルクが首もとに流れ込んだ時は、入れ込み用補助布が、よだれかけ本体の表側より、ほぼぐるりと一周入れ込んであり、入れ込み用補助布を表側より折り返すことにより、ふくらみが出来るため首もとに密着するので、隙間が出来ず、首の前や横や後ろのどの部分に、よだれやミルクが、流れ込んでも素早く吸収するので、よだれが衣服の内側の隙間から乳幼児の衣服（肌着）の内側に流れ込まず、衣服が濡れることが無くなる。
また、よだれかけを着けたままの衣服の脱ぎ着も楽に出来、よだれかけだけを着脱する際にも手間がかからなく、紐などを使用していないため安全である。
【発明を実施するための最良の形態】
【０００６】  以下、本発明の実施形態を詳細に説明する。
図１は、本発明の一実施形態になる乳幼児用のよだれかけの斜視図、図２はその正面図である。
本実施形態において、乳幼児用よだれかけは、上縁に首開口部を有する布製のよだれかけ本体と，よだれかけ本体１の表側で首開口部に沿った上縁に一体に縫い付けられた、よだれかけ本体よりも面積の小さい略Ｕ字形の入れ込み用補助布２と、よだれかけ本体１につながる一対の首紐３とを備え、各首紐３の先端付近（一方は表側、他方は裏側）には装着用の留め具４が設けられている。入れ込み用補助布２の縫い付け部分は、一対の首紐の留め具４の近傍まで伸びている。留め具４としては、マジックテープ（登録商標）のような面ファスナーを用いるのが良い。
図３は、本発明のよだれかけの装着状態の正面図であり、図４は、補助布折り返し時の断面斜視図である。一対の首紐３を乳幼児の首にまわし、留め具４でよだれかけを装着した装着状態において、折り返された入れ込み用補助布２は、乳幼児の首のほぼ全周を覆うようになっている。
折り返された入れ込み用補助布２は、乳幼児の首の、ほぼ全周を覆う長さにした場合、首からつたうよだれ１０やミルクから完全に、衣服を濡れるのを防ぐことが出来るが、
場合により、乳幼児に装着する手間をさらに簡単にしたいのであれば、折り返された入れ込み用補助布２を、乳幼児の首の側面までを覆う長さとする事により、さらに手早く装着でき、首からつたうよだれ１０やミルクから衣服を濡れるのを、ほぼ防ぐことが出来る。
以下、本発明の実施形態になるよだれかけの細部について、詳細に説明する。
（イ）使用する布は、よだれかけ本体１も、入れ込み用補助布２も、肌ざわりが良く、吸収性に優れるものを表地８に、通気性があり撥水効果もしくは、防水効果のあるものを裏地９として、２枚１組とするのが望ましい（図５参照）。
（ロ）吸収性に優れる物として、綿、タオル地、ガーゼなど、通気性があり、撥水効果、もしくは防水効果のあるものとして、ポリエステル、ナイロンなどが望ましい。
（ハ）よだれかけ本体１の表側の首開口部５の中央付近に、入れ込み用補助布２を表地の吸収性に優れる面をなかおもてになるようにして、首開口部のえりぐりの部分を、入れ込み用補助布２の端６から端６まで縫いつけて、一体化させる。
（ニ）入れ込み用補助布は、よだれかけを乳幼児への装着した状態において、折り返された入れ込み用補助布が、乳幼児の首のほぼ全周もしくはそれに近い長さ（少なくとも３分の２）を覆う長さとする。そのため、入れ込み用補助布２の取り付け端は、留め具４のやや内側、換言すると首開口部５の底部より、よだれかけ装着用の首紐の端までの２分の１ないし４分の３の辺りが望ましい。
（ホ）入れ込み用補助布の大きさは、よだれかけ本体１より、面積が小さい方が望ましい。また、補助布の幅は、４ｃｍないし６ｃｍ程度が望ましい。
（ヘ）入れ込み用補助布２は、縫い付けてあるえりぐりの部分以外は、完全にめくれる状態にしておく。
（ト）留め具４としてのマジックテープ（登録商標）は、例えば、一辺が２ｃｍ〜３ｃｍの矩形のものを用いるのが良い。なお、一対のマジックテープの重ね合わせ位置がずれた場合、マジックテープの面が露出し、乳幼児の首に直接触れる可能性がある。そこで、一対のマジックテープは、首紐３の表側にフック構造の面、裏側にループ構造の面を配置しておくことにより、もし、重ね合わせ位置がずれた場合でも、乳幼児の首に接触する可能性のある裏側を柔らかいループ構造の面としておくのが良い。
（チ）また、乳幼児の首の大きさや、衣服の厚さなどに応じて、重ね合わせ位置を調整できるよう、マジックテープの一方、好ましくは裏側に配置された柔らかいループ構造のを長く、例えば長方形にしても良い。
次に、本発明のよだれかけの使用方法について説明する。図６は、本発明のよだれかけを乳幼児に装着した時の側断面図、図９は、装着時の側部拡大断面図である。
本発明のよだれかけを使用する時は、まず、よだれかけ本体１の表側に縫い付けてある入れ込み用補助布２を、内側となる方に折り返し、よだれかけ本体１の表側からは、入れ込み用補助布２が見えない状態にし、入れ込み用補助布２が、よだれかけ本体１の表側に戻らないように、折り返されている入れ込み用補助布２の取り付け端６の付近を手で押さえながら、留め具４を使用し、乳幼児の首に装着してから、内側にきている入れ込み用補助布２を乳幼児の衣服（肌着）７と首もとの間に入れ込み、整え使用する。すなわち、入れ込み用補助布２は、乳幼児の衣服（肌着）７の内側に折り返される。入れ込み用補助布２を折り返して衣服の内側に入れ込むことにより、入れ込み用補助布２にふくらみができ、首に密着するので、乳幼児の首とよだれかけの間に隙間ができない。そのため、入れ込み用補助布２で素早く吸収するので、よだれ１０が乳幼児の衣服（肌着）７の内側に流れ込むことが阻止され、よだれ１０が衣服の内側の隙間から乳幼児の衣服（肌着）の内側に流れ込まず、衣服が濡れることが無くなる。
また、乳幼児の衣服の形により、えりもとが大きく開いたりしている場合などで、入れ込み用補助布２を、折り返して衣服（肌着）７の内側に入れ込むことが出来ない時などは、同じく、入れ込み用補助布２を折り返して装着することにより、首からつたうよだれ１０やミルクを、入れ込み用補助布２で素早く吸収することができる。
図７は乳幼児に装着した時の正面図、図８は装着時の背面図である。本発明のよだれかけを装着することにより、乳幼児の首、換言すると衣服の上端を、よだれかけ本体１と入れ込み用補助布２で、ほぼぐるりと一周挟み込む状態になる。そのため、乳幼児が寝返りをしても、寝転んで遊んでいても、衣服の上端からずれたりしない。また、首に装着用の首紐３と面ファスナー製の留め具４で保持するので、乳幼児が軽く引っ張たりしたぐらいでは取れず、常によだれかけとして最良の位置に装着しておくことが出来る。他方、留め具４を面ファスナー製とすることで、乳幼児の首を過度に締め付ける恐れもなく、安全である。
また、よだれ１０やミルクが首もとに流れ込んだ時は、入れ込み用補助布２が、よだれかけ本体１の表側より、ほぼぐるりと一周入れ込んであり、入れ込み用補助布２が首もとに密着するので、隙間が出来ず、首の前や横や後ろのどの部分に、よだれやミルクが、流れ込んでも素早く吸収するので、衣服が濡れることが無くなり、よだれかけとしての効果が上がるのである。
そして、その上さらに、よだれかけを着けたままの衣服の脱ぎ着も楽に出来、よだれかけだけを着脱する際にも手間がかからなく、紐などを使用していないため安全なのである。
以上のように、様々な機能を持つことから、乳幼児だけでなく老人や病人などにも使用出来る。
【図面の簡単な説明】
【０００７】
【図１】本発明の斜視図
【図２】本発明の正面図
【図３】本発明の装着状態の正面図
【図４】本発明の補助布折り返し時の断面斜視図
【図５】本発明の部分断面図
【図６】本発明の装着時の側断面図
【図７】本発明の装着時の正面図
【図８】本発明の装着時の背面図
【図９】本発明の装着時の側部拡大断面図
【図１０】従来の実施例の装着時の側部拡大断面図
【符号の説明】
【０００８】１…よだれかけ本体
２…補助布
３…首紐
４…留め具
５…首開口部
６…取り付け端
７…衣服
８…表地
９…裏地
１０…よだれ
【図１】
2005068619.tif 000003
【図２】
2005068619.tif 000004
【図３】
2005068619.tif 000005
【図４】
2005068619.tif 000006
【図５】
2005068619.tif 000007
【図６】
2005068619.tif 000008
【図７】
2005068619.tif 000009
【図８】
2005068619.tif 000010
【図９】
2005068619.tif 000011
【図１０】
2005068619.tif 000012